【手続補正書】
【提出日】平成24年3月1日(2012.3.1)
【手続補正１】
【補正対象書類名】明細書
【補正対象項目名】０１５４
【補正方法】変更
【補正の内容】
【０１５４】
本願明細書に引用した特許、特許文献、刊行物の完全な開示内容全体を、それぞれを個別に援用したかのように本願明細書に援用する。本発明の範囲及び趣旨から逸脱せずに、本発明の様々な変更及び改変が当業者に明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。本発明の実施態様の一部を以下の項目１−３２に列記する。
［１］
ａ）帯電防止剤、並びに
ｂ）
ｉ）各々独立して、少なくとも５０℃のＴｇを有する、少なくとも２つのハードＡブロックポリマー単位、及び
ｉｉ）２０℃以下のＴｇを有する少なくとも１つのソフトＢブロック（メタ）アクリルポリマー単位、
を含む第１ブロックコポリマー、
を含む組成物であって、
前記第１ブロックコポリマーは、全体で１０重量％〜６０重量％のハードＡブロックポリマー単位を含み、帯電防止性感圧性接着剤である、組成物。
［２］
前記組成物が、光学的に透明な帯電防止性感圧性接着剤である、項目１に記載の組成物。
［３］
前記帯電防止剤が、塩、金属、金属酸化物、導電性ポリマー、炭素、又はこれらの組み合わせを含む、項目１又は２に記載の組成物。
［４］
前記塩がフッ素化アニオンを含む、項目３に記載の組成物。
［５］
前記塩が有機カチオンを含む、項目３又は４に記載の組成物。
［６］
前記第１ブロックコポリマーが、三元ブロック構造体、スターブロック構造体、多元ブロック構造体、又はこれらの組み合わせを含む、項目１〜５のいずれか一項に記載の組成物。
［７］
ハードＡブロックポリマー単位の少なくとも１つが、アルキル（メタ）アクリレートモノマーを含む反応物質から調製される、項目１〜６のいずれか一項に記載の組成物。
［８］
前記反応物質がメチルメタクリレートを含む、項目７に記載の組成物。
［９］
少なくとも５０℃のＴｇを有する少なくとも１つのハードＣブロックポリマー単位、及び２０℃以下のＴｇを有する少なくとも１つのソフトＤブロックポリマー単位を含む第２ブロックコポリマーを更に含む、項目１〜８のいずれか一項に記載の組成物。
［１０］
前記ハードＣブロックポリマー単位が、アルキル（メタ）アクリレートモノマーを含む反応物質から調製される、項目９に記載の組成物。
［１１］
前記第２ブロックコポリマーが二元ブロックコポリマーである、項目９又は１０に記載の組成物。
［１２］
粘着付与剤を更に含む、項目１〜１１のいずれか一項に記載の組成物。
［１３］
可塑剤を更に含む、項目１〜１２のいずれか一項に記載の組成物。
［１４］
前記帯電防止剤が塩を含み、前記組成物が、１５ｐｈｒ以下の帯電防止剤を含む、項目１〜１３のいずれか一項に記載の組成物。
［１５］
前記帯電防止剤が金属酸化物を含み、前記組成物が、１００ｐｈｒ以下の帯電防止剤を含む、項目１〜１４のいずれか一項に記載の組成物。
［１６］
ａ）帯電防止剤、並びに
ｂ）
ｉ）各々独立して、メチルメタクリレートを含む反応物質から調製され、各々独立して、少なくとも５０℃のＴｇを有する、少なくとも２つのハードＡブロックポリマー単位、及び
ｉｉ）２０℃以下のＴｇを有し、アルキルアクリレートを含む反応物質から調製される、少なくとも１つのソフトＢブロック（メタ）アクリルポリマー単位、
を含む第１ブロックコポリマー、
を含む組成物であって、
第１ブロックコポリマーは、全体で１０重量％〜６０重量％のハードＡブロックポリマー単位を含み、帯電防止性感圧性接着剤である、組成物。
［１７］
前記組成物が、光学的に透明な帯電防止性感圧性接着剤である、項目１６に記載の組成物。
［１８］
ａ）第１表面を有する第１基材、並びに
ｂ）帯電防止剤、並びに
ｉ）各々独立して、少なくとも５０℃のＴｇを有する、少なくとも２つのハードＡブロックポリマー単位、及び
ｉｉ）２０℃以下のＴｇを有する少なくとも１つのソフトＢブロック（メタ）アクリルポリマー単位、
を含む第１ブロックコポリマー、
を含む組成物、を含む物品であって、
第１ブロックコポリマーは、全体で１０重量％〜６０重量％のハードＡブロックポリマー単位を含み、前記組成物が、第１表面に隣接した帯電防止性感圧性接着剤である、物品。
［１９］
前記組成物が、光学的に透明な帯電防止性感圧性接着剤を含む、項目１８に記載の物品。
［２０］
前記第１ブロックコポリマーが、三元ブロック構造体、スターブロック構造体、多元ブロック構造体、又はこれらの組み合わせを含む、項目１８又は１９に記載の物品。
［２１］
前記組成物が、少なくとも５０℃のＴｇを有する少なくとも１つのハードＣブロックポリマー単位、及び２０℃以下のＴｇを有する少なくとも１つのソフトＤブロックポリマー単位を含む第２ブロックコポリマーを更に含む、項目１８〜２０のいずれか一項に記載の物品。
［２２］
前記組成物が粘着付与剤を更に含む、項目１８〜２１のいずれか一項に記載の物品。
［２３］
前記組成物が可塑剤を更に含む、項目１８〜２２のいずれか一項に記載の物品。
［２４］
前記帯電防止剤が、塩、金属、金属酸化物、導電性ポリマー、炭素、又はこれらの組み合わせを含む、項目１８〜２３のいずれか一項に記載の物品。
［２５］
前記塩がフッ素化アニオンを含む、項目２４に記載の物品。
［２６］
前記塩が有機カチオンを含む、項目２４又は２５に記載の物品。
［２７］
前記第１基材が剥離ライナーを含む、項目１８〜２６のいずれか一項に記載の物品。
［２８］
前記第１基材が示差剥離ライナーを含む、項目１８〜２７のいずれか一項に記載の物品。
［２９］
前記第１基材が、紙、ガラス、ポリマーフィルム、光学フィルム、光学素子、光学ディスプレイ、又は電子デバイスを含む、項目１８〜２８のいずれか一項に記載の物品。
［３０］
第２基材を更に含む、項目１８〜２９のいずれか一項に記載の物品。
［３１］
前記第２基材が、紙、ガラス、ポリマーフィルム、光学フィルム、光学素子、光学ディスプレイ、又は電子デバイスを含む、項目３０に記載の物品。
［３２］
前記第２基材が剥離ライナーを含む、項目３０又は３１に記載の物品。
【手続補正２】
【補正対象書類名】特許請求の範囲
【補正対象項目名】全文
【補正方法】変更
【補正の内容】
【特許請求の範囲】
【請求項１】
ａ）組成物中に溶解、分散又は懸濁している帯電防止剤であって、前記帯電防止剤が塩、金属、導電性金属酸化物、バックミンスターフラーレン、カーボンナノチューブ及びそれらの組み合わせからなる群から選択され、前記導電性金属酸化物が混合金属酸化物であるか、又はスズ、インジウム、銀、バナジウム、コバルト、鉄及びモリブデンの酸化物からなる群から選択され、前記塩が、ハロゲン化物イオン、過塩素酸イオン、ニトレート、テトラフルオロボレート、ヘキサフルオロスタネート、ヘキサフルオロホスフェート、ヘキサフルオロアンチモネート、メタンスルホネート、トリフルオロメタンスルホネート、アセテート、トリフルオロアセテート、ベンゾエート、ペンタフルオロベンゾエート、４−トリフルオロメチルベンゾエート、ベンゼンスルホネート、トルエンスルホネート、４−（トリフルオロメチル）ベンゼンスルホネート、ビス（トリフルオロメチルスルホニル）イミド、ビス（ペンタフルオロエチルスルホニル）イミド、及びトリス（トリフルオロメチルスルホニル）メチドからなる群から選択されるアニオンを有する、帯電防止剤、並びに
ｂ）
ｉ）各々独立して、少なくとも５０℃のＴｇを有する、少なくとも２つのハードＡブロックポリマー単位、及び
ｉｉ）２０℃以下のＴｇを有する少なくとも１つのソフトＢブロック（メタ）アクリルポリマー単位、
を含む第１ブロックコポリマー、
を含む組成物であって、
前記第１ブロックコポリマーは、全体で１０重量％〜６０重量％のハードＡブロックポリマー単位を含み、帯電防止性感圧性接着剤である、組成物。
【請求項２】
各Ａブロックがメチルメタクリレートを含む、請求項１に記載の組成物。